(57)【要約】【課題】簡単な構成で、しかも、磁石が外れないようにした足裏健康器具を提供する。【解決手段】本足裏健康器具は、足裏の土踏まずなどの一部分に対向するように配置される軟質のベースパッド１の表面に複数の軟質の突起部２，２…が突設され、かつ、該突起部２，２…の間に１又は２以上の凹部３，３が形成され、該凹部３，３内に磁石４が嵌め込まれている。前記突起部２，２…は、複数列突設されている。前記突起部２，２…は、外側Ｘの列が内側Ｙの列よりも多く突設されている。前記ベースパッド１は、前記凹部３，３が中心部に形成され、該中心部が周囲より厚肉に形成されている。【選択図】図１
2008012181.tif 000002
【特許請求の範囲】
【請求項１】
足裏の一部分に対向するように配置される軟質のベースパッドの表面に複数の軟質の突起部が突設され、かつ、表面又は裏面に１又は２以上の凹部が形成され、
該凹部内に磁石が嵌め込まれていることを特徴とする足裏健康器具。
【請求項２】
前記突起部は、複数列突設されていることを特徴とする請求項１に記載の足裏健康器具。
【請求項３】
前記突起部は、外側の列が内側の列よりも多く突設されていることを特徴とする請求項２に記載の足裏健康器具。
【請求項４】
前記突起部は、足裏の土踏まずの凹みの深さに対応して、外側の中央部及び／又は中間部が高く、外側の両端部及び内側が低く突設されていることを特徴とする請求項２又は３に記載の足裏健康器具。
【請求項５】
前記突起部は、隣接している表面が波状に連続していることを特徴とする請求項２から３のいずれか１項に記載の足裏健康器具。
【請求項６】
前記ベースパッドには、裏面側から突起部内に形成された小穴によって吸盤部が設けられていることを特徴とする請求項１から５のいずれか１項に記載の足裏健康器具。
【請求項７】
前記ベースパッドには、接着手段が備えられていることを特徴とする請求項１から５のいずれか１項に記載の足裏健康器具。
【請求項８】
前記ベースパッドは、前記凹部が中心部に形成され、該中心部が周囲より厚肉に形成されていることを特徴とする請求項１から７のいずれか１項に記載の足裏健康器具。
【請求項９】
前記ベースパッドは、表面が曲面状に形成されていることを特徴とする請求項８に記載の足裏健康器具。
【請求項１０】
前記凹部は、ベースパッドの表面と裏面とに連続して形成されていることを特徴とする請求項１から９のいずれか１項に記載の足裏健康器具。
【請求項１１】
前記一方の凹部には、磁性体が嵌め込まれていることを特徴とする請求項１０に記載の足裏健康器具
【請求項１２】
前記磁石は、希土類磁石であることを特徴とする請求項１から１１のいずれか１項に記載の足裏健康器具。
【発明の詳細な説明】
【技術分野】
【０００１】
本発明は、足裏の一部分を刺激する足裏健康器具に関し、詳しくは、複数の突起部と磁石とが備えられている足裏健康器具に関する。
【背景技術】
【０００２】
足裏を刺激し、血行をよくするための中敷（インソール）や、足の扁平足を矯正したり足の姿勢を正しく保てるようにするための足裏健康器具が各種提案されている。例えば、特許文献１に開示された足裏健康器具は、合成ゴム等の弾性材料からなる伸縮自在の袋体を備えている。この袋体は、足裏の土踏まずの部分に密着することができるように、平面視がソラマメ形状とされている。
【０００３】
この袋体の側面側には、空気やシリコン樹脂などの流体を封入し、かつ、排出するための流体出入口が設けられている。そして、袋体の上面側には、袋体と一体成形された多数の突起部が突設されている。また、袋体の上面側には、例えば３個の永久磁石が接着されている。この多数の突起と永久磁石とが足裏の土踏まずの部分に密着する。そして、袋体の底面側の中心部分には、袋体を履物の底板に着脱させるための両面粘着テープ等の袋体固定部が設けられている。
【０００４】
この足裏健康器具によれば、袋体の内部に封入する流体の量を調整し、袋体の形状を自由自在に変化させることができるため、あらゆるタイプの扁平足の人の土踏まずの部分に突起部及び永久磁石を確実に密着させることができる。したがって、突起部及び永久磁石が土踏まずの部分を有効に刺激し、マッサージ効果を得ることができるため、健康の増進及び体質改善が図られる。
【０００５】
【特許文献１】特開２００６−９５１２８号公報
【発明の開示】
【発明が解決しようとする課題】
【０００６】
特許文献１に開示された足裏健康器具は、袋体内に空気などの流体を封入しなければならず、その作業が面倒であるだけでなく、流体出入口を確実に塞ぐための構造が複雑となる。さらに、永久磁石は、袋体の上面側に接着されるだけであるため、外れやすくなっている。
【０００７】
そこで、本発明は、簡単な構成で、しかも、磁石が外れないようにした足裏健康器具を提供することを課題とする。
【課題を解決するための手段】
【０００８】
本発明に係る足裏健康器具は、足裏の一部分に対向するように配置される軟質のベースパッドの表面に複数の軟質の突起部が突設され、かつ、表面又は裏面に１又は２以上の凹部が形成され、該凹部内に磁石が嵌め込まれていることを特徴としている。
【０００９】
この足裏健康器具によれば、突起部が足裏の土踏まずなどの一部分を刺激するように靴やサンダルその他の履物にセットされることにより、歩行中や起立している間などにおいて、体重の反作用によって突起部が足裏の土踏まずの部分などに点在しているいわゆるツボを押圧し、同時に、磁石の磁力によって足の部分の血行が促進され、疲労を回復することができる。特筆すべきは、ベースパッドが足裏の土踏まずなどの一部分に対向する大きさとされていることから、突起部がツボを押圧するように、セットする位置を調整することができるということである。しかも、この足裏健康器具は、袋体に流体を封入するものではないため、構成が簡易であり、また、磁石が凹部内に嵌め込まれているため、確実に外れないようにすることができる。
【００１０】
また、前記本発明に係る足裏健康器具において、前記突起部は、複数列突設されていることが好ましい。この足裏健康器具によれば、突起部が複数列突設されていることにより、足裏の土踏まずなどの一部分に広範囲に点在している複数のツボを刺激することができる。
【００１１】
また、前記本発明に係る足裏健康器具において、前記突起部は、外側の列が内側の列よりも多く突設されていることを特徴としている。足裏の土踏まずは、両足で見たときに、各足が対向する側が各足の中心よりも長く凹んでいるため、各足裏健康器具の外側（両足で見たときに、各足が対向する側）の列の突起部が内側の列の突起部よりも多く突設されることにより、各突起部は土踏まずの長さに応じて突設され、土踏まずに適度な押圧力を加えることができる。
【００１２】
また、前記本発明に係る足裏健康器具において、前記突起部は、足裏の土踏まずの凹みの深さに対応して、外側の中央部及び／又は中間部が高く、外側の両端部及び内側が低く突設されていることが好ましい。足裏の土踏まずは、両足で見たときに各足が対向する側が各足の中心側より深く凹んでいるため、足裏健康器具の突起部は、外側（両足で見たときに、各足が対向する側）の中間部及び／又は中間部が高く、外側の両端部及び内側が低く突設される。こうすることにより、各突起部は土踏まずの凹みの深さに応じた高さとなり、土踏まずに適度な押圧力が加えられる。
【００１３】
また、前記本発明に係る足裏健康器具において、前記突起部は、隣接している表面が波状に連続していてもよい。この足裏健康器具によれば、隣接している突起部の表面が波状に連続していることにより、足裏の土踏まずには分布荷重が加えられるようになり、突起部の頂部が足裏の土踏まずを押圧する押圧力が和らげられる。
【００１４】
また、前記本発明に係る足裏健康器具において、前記ベースパッドには、裏面側から突起部内に形成された小穴によって吸盤部が設けられていることが好ましい。この足裏健康器具によれば、ベースパッドの裏面に吸盤部が設けられていることにより、この足裏健康器具を履物にセットしたときに、吸盤部が履物を吸着する状態となり、ベースパッドがずれないようにすることができる。そして、吸盤部は、突起部内に形成された小穴によって設けられるため、ベースパッドと履物とが隙間なく接合し、足裏健康器具は履物上に安定した状態でセットされる。
【００１５】
また、前記本発明に係る足裏健康器具において、前記ベースパッドには、接着手段が備えられていてもよい。この足裏健康器具によれば、吸盤部が履物を吸着できない場合において、接着手段がベースパッドをずれないようにすることができる。なお、接着手段としては、両面粘着テープや面ファスナー、あるいは足の甲まで纏うバンドを使用することができる。
【００１６】
また、前記本発明に係る足裏健康器具において、前記ベースパッドは、前記凹部が中心部に形成され、該中心部が周囲より厚肉に形成されていることが好ましい。この足裏健康器具によれば、ベースパッドの中心部が周囲よりも厚肉に形成されることにより、凹部を形成する部分のベースパッドが薄肉にならないため、破損しにくいようにすることができる。
【００１７】
また、前記本発明に係る足裏健康器具において、前記ベースパッドは、表面が曲面状に形成されていてもよい。この足裏健康器具によれば、ベースパッドの表面が曲面状に形成されることにより、ベースパッドの表面から突出する突起部が中心部において曲面状でないときよりも短くなる。したがって、足裏の土踏まずは、ベースパッドの表面にも当接し、突起部が足裏の土踏まずを押圧する押圧力が和らげられる。
【００１８】
また、前記本発明に係る足裏健康器具において、前記凹部は、ベースパッドの表面と裏面とに連続して形成されていることが好ましい。この足裏健康器具によれば、両凹部内に、異種の磁極が対向するように磁石が嵌め込まれる。したがって、各磁石は、異種の磁極に引き合う力が働くことにより、凹部内から外れないようにすることができる。
【００１９】
また、前記本発明に係る足裏健康器具において、前記一方の凹部には、磁性体が嵌め込まれていてもよい。この足裏健康器具によれば、一方の凹部に磁性体が嵌めこまれることにより、両方の凹部に磁石を嵌め込むよりもコストダウンを図ることができる。なお、磁性体として、強磁性体を使用することが好ましいが、常磁性体であってもよい。
【００２０】
また、前記本発明に係る足裏健康器具において、前記磁石は、希土類磁石であることが好ましい。この足裏健康器具によれば、希土類磁石は、小型で扁平でありながら強力な磁力を有するため、凹部に嵌め込む磁石として好適に使用することができる。
【発明の効果】
【００２１】
本発明によれば、ベースパッドの表面に突設された複数の突起部が足裏の一部分を押圧し、ベースパッドの凹部に嵌め込まれた磁石の磁力が血行を促進することにより、足裏を刺激することができる。したがって、この足裏健康器具の使用者は、体温が適度に上昇し、冷え性や足のむくみなどを解消し、健康な体調を回復することができる。
【発明を実施するための最良の形態】
【００２２】
本発明に係る足裏健康器具の実施形態について図１ないし図７を参照しながら説明する。この足裏健康器具は、図１に示すように、足裏の土踏まずなどの一部分（以下、主として「土踏まずの部分」という。）に対向するように配置され、靴、サンダル、スリッパ、草履、下駄その他の履物に密着するベースパッド１の表面に、土踏まずの部分のいわゆるツボを押圧して刺激するための複数（図面においては３列で合計９個）の突起部２，２…が突設され、かつ、表面又は裏面に１個又は２個以上（図面においては裏面に２個）の凹部３，３が形成され、この凹部３，３内に、足を磁気的に刺激する磁石４が嵌め込まれていることを特徴としている。
【００２３】
なお、この足裏健康器具は、両足で使用するときに、各足が対向する一方の側を外側Ｘ、各足の中心に位置する他方の側を内側Ｙと定義する。
【００２４】
前記ベースパッド１と突起部２，２…は、ウレタン、シリコンゴム、エラストマその他の軟質材で一体成形されている。ベースパッド１は、多様な断面形状を採ることができる。すなわち、図２に示すベースパッド１は、全て同じ板厚の平板状としたもので、シンプルな構成とされている。また、図３に示すベースパッド１は、中間部が外側Ｘ及び内側Ｙより厚肉の扁平山形の平板状としたもので、中心部の表面と裏面とに連続する凹部３，３が形成されている。また、図４に示すベースパッド１は、中心部が周囲より厚肉の円弧状曲面を有する平板としたものでより、ベースパッド１の表面から突出する突起部２，２…の突出量が前記の場合よりも短くされている。図５及び図６に示すベースパッド１は、中心部が周囲より厚肉の曲面状とされ、さらに、隣接している突起部２，２…が波状に連続するように形成されている。
【００２５】
いずれにしても、ベースパッド１の表面に突設された突起部２，２…の頂部は、土踏まずに心地よい押圧力が加えられるように、半球状に形成されている。このような突起部２，２…は、土踏まずの凹みの深さに対応して３列突設され、外側Ｘは４個、中間部は３個、内側Ｙは２個突設されている。また、図２ないし図４に示す足裏健康器具は、外側Ｘの突起部２，２…の内の中心側の２個及び／又は中間部の突起の３個は、他の突起部２，２…よりもわずかに高く（例えば０．５ｍｍ〜１ｍｍ）形成されている。
【００２６】
そして、図５及び図６に示す足裏健康器具は、前記のように、隣接している突起部２，２…の表面が波状に連続したものとされ、この突起部２，２…とベースパッド１との境界が渾然となっている。このような足裏健康器具は、突起部２，２…がベースパッド１の表面からあまり突出しないため、土踏まずの部分がベースパッド１の表面にも接合し、突起部２，２…が土踏まずを押圧する押圧力が和らげられる。また、この足裏健康器具は、突起部２，２…の押圧力が和らげられることにより、踵の部分や爪先の部分など土踏まずの部分以外にも好適に使用することができる。
【００２７】
いずれにしても突起部２，２…の配列に対応して、ベースパッド１は、平面視で台形状に形成されているが、四角形状やソラマメ形状に形成してもよい。そして、ベースパッド１の裏面又は表面には、磁石４を嵌め込むための凹部３が形成されている。この凹部３は、中間の３個の突起部２，２…の間の２か所に形成される。この凹部３内に嵌め込まれる磁石４は、例えば小型で扁平でありながら強力な磁性を有している希土類磁石を使用することが好ましい。ただし、フェライト磁石などの磁石４を３個以上使用してもよく、この場合は３か所以上に凹部３が形成される。
【００２８】
いずれにしても、磁石４は、薄肉円柱状のものが使用される。この磁石４と凹部３とは、接着剤によって接着される。ただし、磁石４の外径を凹部３の内径よりもわずかに大きくし、換言すると、凹部３の内径を磁石４の外径よりもわずかに小さくすることにより、磁石４が凹部３を押し広げるようにして嵌め込まれ、外れにくいようにしてもよい。
【００２９】
また、ベースパッド１が図３及び図５、図６に示すように厚肉に形成されていると、凹部３，３は、裏面だけでなく表面にも連続するように形成される。そして、一方の凹部３にのみ磁石４を嵌め込み、他方の凹部３に磁性体５を嵌め込むことにより、コストダウンを図ることができる。磁性体５は、磁石４の磁力によって磁石となる。したがって、磁石となった磁性体５と磁石４とは、ベースパッド１を介して磁力によって密着され、接着剤を使用しなくても凹部３，３内から外れることがない。
【００３０】
なお、磁性体５は、ニッケルのような強磁性体を採用することが好ましいが、常磁性体であってもよい。また、磁性体５は、中心に貫通穴を形成したドロップ形状とすることにより、強い磁力が生じるようにすることができる。
【００３１】
コストを考慮しない場合は、裏面と表面の両凹部３，３に磁石４，４を嵌め込んでもよい。この場合は、対向する磁極は当然、異種とし、両磁石４，４がベースパッド１を介して密着するようにされる。
【００３２】
そして、ベースパッド１の裏面が履物に密着してずれないようにするため、ベースパッドの裏面には、図３に示すように吸盤部６が設けられている。この吸盤部６は、ベースパッド１の裏面から突起部２，２…内まで形成された小穴６ａによって設けられる。吸盤部６が小穴６ａによって形成されることにより、ベースパッド１と履物とが隙間なく密着する。
【００３３】
ただし、履物の表面がツルツルとした滑面の状態であるときは、ベースパッド１の裏面が密着し、ベースパッド１がずれにくいため、図２などに示すように、吸盤部６を設ける必要はない。
【００３４】
逆に、履物の表面がザラザラとした粗面の状態であるときは、吸盤部６によってベースパッド１がずれないようにすることができないため、ベースパッド１には、接着手段（図示せず）が備えられる。接着手段として、ベースパッド１の裏面に固着される両面接着テープや面ファスナーを使用することができる。また、この足裏健康器具がサンダルや下駄などを履いているときに使用されるときは、接着手段として足の甲を纏うバンドを使用することができる。このバンドは、例えばベースパッド１の両側面に固定される。
【００３５】
この足裏健康器具は、以上のように構成され、次に、使用したときの状態について説明する。この足裏健康器具は、図７に示すように履物Ｓ（図示した靴以外のサンダルなどであっても同様に使用される。）の中敷上にセットして使用する。履物Ｓの中敷がツルツルの滑面の状態のときは、吸盤部６又はベースパッド１の裏面の粘性によって、また、履物Ｓの中敷がザラザラの粗面の状態のときは、接着手段によって、それぞれベースパッド１がずれないように足裏健康器具がセットされる。
【００３６】
この足裏健康器具は、突起部２，２…が土踏まずＦの部分のツボを刺激するようにセットする。この足裏健康器具は、従来の中敷のように履物Ｓの中敷全面に重ね合わせるものではなく、一部分にセットするため、セットされた足裏健康器具の突起部２，２…がツボを刺激していないと感じた使用者は、ツボを的確に刺激する位置に足裏健康器具をセットしなおす。
【００３７】
そして、足裏健康器具が履物Ｓの中敷上にセットされることにより、ベースパッド１の裏面の凹部３に嵌めこまれた磁石４は、履物Ｓの中敷とベースパッド１とに挟まれる状態となり、接着剤によって接着されていなくても外れることがない。
【００３８】
このような足裏健康器具がセットされた履物Ｓを履いた使用者は、土踏まずＦが突起部２，２…に押圧されることによってツボが刺激され、また、磁石４の磁力が足の部分の血行を促進することにより、疲労が回復される。さらに、磁石４によって、足が暖められることによって、冷え性が改善され、湿度が下がることによって、水虫を改善することができる。
【００３９】
また、図２及び図３に示す足裏健康器具の使用者が突起部２，２…の押圧力を強すぎると感じたときは、図４又は図５、図６に示す足裏健康器具を使用する。この足裏健康器具は、足裏がベースパッド１の表面にも当接し、突起部２，２…が土踏まずＦを押圧する押圧力を適度に和らげる。さらに、特に、図５、図６に示す足裏健康器具は、突起部２，２…の表面が波形状に連続して形成され、押圧力が和らげられていることから、突起部２，２…が踵の部分やつま先の部分を押圧するようにセットしてもよい。
【００４０】
なお、本発明は、前記の実施形態に限定することなく特許請求の範囲に記載した発明特定事項の範囲内において種々変更することができる。例えば、突起部２，２…は、３列ではなく、１列、２列又は４列以上としてもよいし、個数や大きさなどは任意に変更することができる。
【００４１】
また、使用方法は、使用者の自由であり、バンドを備えた足裏健康器具は、室内においてスリッパにセットすることなく、足の甲にまきつけ、あるいは就寝時にも足の甲に巻きつけて使用してもよい。
【図面の簡単な説明】
【００４２】
【図１】本発明に係る足裏健康器具の一実施形態を示す斜視図である。
【図２】本発明に係る足裏健康器具の一実施形態を示し、（ａ）は平面図、（ｂ）は（ａ）のＢ−Ｂ線断面図、（ｃ）は（ａ）のＣ−Ｃ線断面図、（ｄ）は（ａ）のＤ−Ｄ線断面図である。
【図３】本発明に係る足裏健康器具の前記と異なる実施形態を示し、（ａ）は平面図、（ｂ）は（ａ）のＢ−Ｂ線断面図、（ｃ）は（ａ）のＣ−Ｃ線断面図、（ｄ）は（ａ）のＤ−Ｄ線断面図である。
【図４】本発明に係る足裏健康器具の前記と異なる実施形態を示し、（ａ）は平面図、（ｂ）は（ａ）のＢ−Ｂ線断面図、（ｃ）は（ａ）のＣ−Ｃ線断面図、（ｄ）は（ａ）のＤ−Ｄ線断面図である。
【図５】本発明に係る足裏健康器具の前記と異なる実施形態を示す斜視図である。
【図６】本発明に係る足裏健康器具の図５に示した実施形態であって、（ａ）は平面図、（ｂ）は（ａ）の断面正面図、（ｃ）は（ａ）の断面側面図である。
【図７】本発明に係る足裏健康器具の使用例を示す概略正面図である。
【符号の説明】
【００４３】
１…ベースパッド
２…突起部
３…凹部
４…磁石
５…磁性体
６…吸盤部
Ｘ…外側
Ｙ…内側
【図１】
2008012181.tif 000003
【図２】
2008012181.tif 000004
【図３】
2008012181.tif 000005
【図４】
2008012181.tif 000006
【図５】
2008012181.tif 000007
【図６】
2008012181.tif 000008
【図７】
2008012181.tif 000009
【手続補正書】
【提出日】平成18年7月31日(2006.7.31)
【手続補正１】
【補正対象書類名】特許請求の範囲
【補正対象項目名】請求項５
【補正方法】変更
【補正の内容】
【請求項５】
前記突起部は、隣接している表面が波状に連続していることを特徴とする請求項２から４のいずれか１項に記載の足裏健康器具。
【手続補正２】
【補正対象書類名】特許請求の範囲
【補正対象項目名】請求項１１
【補正方法】変更
【補正の内容】
【請求項１１】
前記一方の凹部には、磁性体が嵌め込まれていることを特徴とする請求項１０に記載の足裏健康器具。
【手続補正３】
【補正対象書類名】明細書
【補正対象項目名】００１２
【補正方法】変更
【補正の内容】
【００１２】  また、前記本発明に係る足裏健康器具において、前記突起部は、足裏の土踏まずの凹みの深さに対応して、外側の中央部及び／又は中間部が高く、外側の両端部及び内側が低く突設されていることが好ましい。足裏の土踏まずは、両足で見たときに各足が対向する側が各足の中心側より深く凹んでいるため、足裏健康器具の突起部は、外側（両足で見たときに、各足が対向する側）の中央部及び／又は中間部が高く、外側の両端部及び内側が低く突設される。こうすることにより、各突起部は土踏まずの凹みの深さに応じた高さとなり、土踏まずに適度な押圧力が加えられる。
【手続補正書】
【提出日】平成18年11月6日(2006.11.6)
【手続補正１】
【補正対象書類名】特許請求の範囲
【補正対象項目名】全文
【補正方法】変更
【補正の内容】
【特許請求の範囲】
【請求項１】
足裏の土踏まずの部分に対向するように履物又は中敷上にセットされる軟質のベースパッドの表面に複数の軟質の突起部が突設されている足裏健康器具であって、
前記ベースパッドの中心部が周囲よりも厚肉とされ、
前記突起部は、各足が対向する側が各足の中心に位置する側よりも多く、かつ、足裏の土踏まずの凹みの深さに対応した高さを有し、かつ、波状に連続し、
前記ベースパッドの裏面には、１又は２以上の凹部が形成され、
該凹部内に磁石が嵌め込まれていることを特徴とする足裏健康器具。
【請求項２】
前記凹部は、前記各突起部の間に連続するように、ベースパッドの裏面に形成されていることを特徴とする請求項１に記載の足裏健康器具。
【請求項３】
前記ベースパッドには、履物又は中敷上をずれないようにする接着手段が備えられていることを特徴とする請求項１又は２に記載の足裏健康器具。
【請求項４】
前記磁石は、希土類磁石であることを特徴とする請求項１から３のいずれか１項に記載の足裏健康器具。
【手続補正２】
【補正対象書類名】明細書
【補正対象項目名】全文
【補正方法】変更
【補正の内容】
【発明の詳細な説明】
【技術分野】
【０００１】
本発明は、足裏の足踏まずの部分を刺激する足裏健康器具に関し、詳しくは、複数の突起部と磁石とが備えられている足裏健康器具に関する。
【背景技術】
【０００２】
足裏を刺激し、血行をよくするための中敷（インソール）や、足の扁平足を矯正したり足の姿勢を正しく保てるようにするための足裏健康器具が各種提案されている。例えば、特許文献１に開示された足裏健康器具は、合成ゴム等の弾性材料からなる伸縮自在の袋体を備えている。この袋体は、足裏の土踏まずの部分に密着することができるように、平面視がソラマメ形状とされている。
【０００３】
この袋体の側面側には、空気やシリコン樹脂などの流体を封入し、かつ、排出するための流体出入口が設けられている。そして、袋体の上面側には、袋体と一体成形された多数の突起部が突設されている。また、袋体の上面側には、例えば３個の永久磁石が接着されている。この多数の突起と永久磁石とが足裏の土踏まずの部分に密着する。そして、袋体の底面側の中心部分には、袋体を履物の底板に着脱させるための両面粘着テープ等の袋体固定部が設けられている。
【０００４】
この足裏健康器具によれば、袋体の内部に封入する流体の量を調整し、袋体の形状を自由自在に変化させることができるため、あらゆるタイプの扁平足の人の土踏まずの部分に突起部及び永久磁石を確実に密着させることができる。したがって、突起部及び永久磁石が土踏まずの部分を有効に刺激し、マッサージ効果を得ることができるため、健康の増進及び体質改善が図られる。
【０００５】
【特許文献１】特開２００６−９５１２８号公報
【発明の開示】
【発明が解決しようとする課題】
【０００６】
特許文献１に開示された足裏健康器具は、袋体内に空気などの流体を封入しなければならず、その作業が面倒であるだけでなく、流体出入口を確実に塞ぐための構造が複雑となる。さらに、永久磁石は、袋体の上面側に接着されるだけであるため、外れやすくなっている。
【０００７】
そこで、本発明は、簡単な構成で、しかも、磁石が外れないようにした足裏健康器具を提供することを課題とする。
【課題を解決するための手段】
【０００８】
本発明に係る足裏健康器具は、足裏の土踏まずの部分に対向するように履物又は中敷上にセットされる軟質のベースパッドの表面に複数の軟質の突起部が突設されている足裏健康器具であって、前記ベースパッドの中心部が周囲よりも厚肉とされ、前記突起部は、各足が対向する側が各足の中心に位置する側よりも多く、かつ、足裏の土踏まずの凹みの深さに対応した高さを有し、かつ、波状に連続し、前記ベースパッドの裏面には、１又は２以上の凹部が形成され、該凹部内に磁石が嵌め込まれていることを特徴としている。
【０００９】
この足裏健康器具によれば、突起部が足裏の土踏まずなどの一部分を刺激するように靴やサンダルその他の履物にセットされることにより、歩行中や起立している間などにおいて、体重の反作用によって突起部が足裏の土踏まずの部分などに点在しているいわゆるツボを押圧し、同時に、磁石の磁力によって足の部分の血行が促進され、疲労を回復することができる。特筆すべきは、ベースパッドが足裏の土踏まずなどの一部分に対向する大きさとされていることから、突起部がツボを押圧するように、セットする位置を調整することができるということである。しかも、この足裏健康器具は、袋体に流体を封入するものではないため、構成が簡易であり、また、磁石が凹部内に嵌め込まれているため、確実に外れないようにすることができる。
【００１０】
また、この足裏健康器具によれば、ベースパッドの中心部が周囲よりも厚肉に形成されることにより、凹部を形成する部分のベースパッドが薄肉にならないため、破損しにくいようにすることができる。
【００１１】
また、足裏の土踏まずは、両足で見たときに、各足が対向する側が各足の中心よりも長く凹んでいるため、各足裏健康器具の外側（両足で見たときに、各足が対向する側）の列の突起部が内側の列の突起部よりも多く突設されることにより、各突起部は土踏まずの長さに応じて突設され、土踏まずに適度な押圧力を加えることができる。
【００１２】
また、足裏の土踏まずは、両足で見たときに各足が対向する側が各足の中心側より深く凹んでいるため、足裏健康器具の突起部は、外側（両足で見たときに、各足が対向する側）の中央部及び／又は中間部が高く、外側の両端部及び内側が低く突設される。こうすることにより、各突起部は土踏まずの凹みの深さに応じた高さとなり、土踏まずに適度な押圧力が加えられる。
【００１３】
また、この足裏健康器具によれば、隣接している突起部の表面が波状に連続していることにより、足裏の土踏まずには分布荷重が加えられるようになり、突起部の頂部が足裏の土踏まずを押圧する押圧力が和らげられる。
【００１４】
また、前記本発明に係る足裏健康器具において、前記凹部は、前記各突起部の間に連続するように、ベースパッドの裏面に形成されていてもよい。
【００１５】
また、前記本発明に係る足裏健康器具において、前記ベースパッドには、履物又は中敷上をずれないようにする接着手段が備えられていることが好ましい。この足裏健康器具によれば、接着手段がベースパッドをずれないようにすることができる。なお、接着手段としては、両面粘着テープや面ファスナー、あるいは足の甲まで纏うバンドを使用することができる。
【００１６】
また、前記本発明に係る足裏健康器具において、前記磁石は、希土類磁石であることが好ましい。この足裏健康器具によれば、希土類磁石は、小型で扁平でありながら強力な磁力を有するため、凹部に嵌め込む磁石として好適に使用することができる。
【発明の効果】
【００１７】
本発明によれば、ベースパッドの表面に突設された複数の突起部が足裏の一部分を押圧し、ベースパッドの凹部に嵌め込まれた磁石の磁力が血行を促進することにより、足裏を刺激することができる。したがって、この足裏健康器具の使用者は、体温が適度に上昇し、冷え性や足のむくみなどを解消し、健康な体調を回復することができる。
【発明を実施するための最良の形態】
【００１８】
本発明に係る足裏健康器具の実施形態について図面を参照しながら説明する。この足裏健康器具は、図１に示すように、足裏の土踏まずの部分（以下、主として「土踏まずの部分」という。）に対向するように配置され、靴、サンダル、スリッパ、草履、下駄その他の履物に密着するベースパッド１の表面に、土踏まずの部分のいわゆるツボを押圧して刺激するための複数（図面においては３列で合計９個）の突起部２，２…が突設され、かつ、裏面に１個又は２個以上（図面においては裏面に２個）の凹部３，３が形成され、この凹部３，３内に、足を磁気的に刺激する磁石４が嵌め込まれていることを特徴としている。
【００１９】
なお、この足裏健康器具は、両足で使用するときに、各足が対向する一方の側を外側Ｘ、各足の中心に位置する他方の側を内側Ｙと定義する。
【００２０】
前記ベースパッド１と突起部２，２…は、ウレタン、シリコンゴム、エラストマその他の軟質材で一体成形されている。参考例のベースパッド１は、図２ないし図４に示すように多様な断面形状を採ることができる。すなわち、図２に示すベースパッド１は、全て同じ板厚の平板状としたもので、シンプルな構成とされている。また、図３に示すベースパッド１は、中間部が外側Ｘ及び内側Ｙより厚肉の扁平山形の平板状としたもので、中心部の表面と裏面とに連続する凹部３，３が形成されている。また、図４に示すベースパッド１は、中心部が周囲より厚肉の円弧状曲面を有する平板としたもので、ベースパッド１の表面から突出する突起部２，２…の突出量が前記の場合よりも短くされている。本発明の一実施形態におけるベースパッド１は、図５及び図６に示すように、中心部が周囲より厚肉の曲面状とされ、さらに、隣接している突起部２，２…が波状に連続するように形成されている。
【００２１】
いずれにしても、ベースパッド１の表面に突設された突起部２，２…の頂部は、土踏まずに心地よい押圧力が加えられるように、半球状に形成されている。このような突起部２，２…は、土踏まずの凹みの深さに対応して３列突設され、外側Ｘは４個、中間部は３個、内側Ｙは２個突設されている。また、図２ないし図４に示す足裏健康器具は、外側Ｘの突起部２，２…の内の中心側の２個及び／又は中間部の突起の３個は、他の突起部２，２…よりもわずかに高く（例えば０．５ｍｍ〜１ｍｍ）形成されている。
【００２２】
そして、図５及び図６に示す足裏健康器具は、前記のように、隣接している突起部２，２…の表面が波状に連続したものとされ、この突起部２，２…とベースパッド１との境界が渾然となっている。このような足裏健康器具は、突起部２，２…がベースパッド１の表面からあまり突出しないため、土踏まずの部分がベースパッド１の表面にも接合し、突起部２，２…が土踏まずを押圧する押圧力が和らげられる。なお、この足裏健康器具は、突起部２，２…の押圧力が和らげられることにより、踵の部分や爪先の部分など土踏まずの部分以外にも好適に使用することができる。
【００２３】
いずれにしても突起部２，２…の配列に対応して、ベースパッド１は、平面視で台形状に形成されているが、四角形状やソラマメ形状に形成してもよい。そして、ベースパッド１の裏面には、磁石４を嵌め込むための凹部３が形成されている。この凹部３は、中間の３個の突起部２，２…の間の２か所に形成される。この凹部３内に嵌め込まれる磁石４は、例えば小型で扁平でありながら強力な磁性を有している希土類磁石を使用することが好ましい。ただし、フェライト磁石などの磁石４を３個以上使用してもよく、この場合は３か所以上に凹部３が形成される。
【００２４】
いずれにしても、磁石４は、薄肉円柱状のものが使用される。この磁石４と凹部３とは、接着剤によって接着される。ただし、磁石４の外径を凹部３の内径よりもわずかに大きくし、換言すると、凹部３の内径を磁石４の外径よりもわずかに小さくすることにより、磁石４が凹部３を押し広げるようにして嵌め込まれ、外れにくいようにしてもよい。
【００２５】
また、ベースパッド１が図３及び図５、図６に示すように厚肉に形成されていると、凹部３，３は、裏面だけでなく表面にも連続するように形成することができる。そして、一方の凹部３にのみ磁石４を嵌め込み、他方の凹部３に磁性体５を嵌め込むことにより、コストダウンを図ることができる。磁性体５は、磁石４の磁力によって磁石となる。したがって、磁石となった磁性体５と磁石４とは、ベースパッド１を介して磁力によって密着され、接着剤を使用しなくても凹部３，３内から外れることがない。
【００２６】
なお、磁性体５は、ニッケルのような強磁性体を採用することが好ましいが、常磁性体であってもよい。また、磁性体５は、中心に貫通穴を形成したドロップ形状とすることにより、強い磁力が生じるようにすることができる。
【００２７】
コストを考慮しない場合は、裏面と表面の両凹部３，３に磁石４，４を嵌め込んでもよい。この場合は、対向する磁極は当然、異種とし、両磁石４，４がベースパッド１を介して密着するようにされる。
【００２８】
そして、ベースパッド１の裏面が履物に密着してずれないようにするため、図３に示す参考例のベースパッドの裏面には、吸盤部６が設けられている。この吸盤部６は、ベースパッド１の裏面から突起部２，２…内まで形成された小穴６ａによって設けられる。吸盤部６が小穴６ａによって形成されることにより、ベースパッド１と履物とが隙間なく密着する。
【００２９】
ただし、履物の表面がツルツルとした滑面の状態であるときは、ベースパッド１の裏面が密着し、ベースパッド１がずれにくいため、図２などに示すように、吸盤部６を設ける必要はない。
【００３０】
逆に、履物の表面がザラザラとした粗面の状態であるときは、ベースパッド１には、接着手段（図示せず）が備えられる。接着手段として、ベースパッド１の裏面に固着される両面接着テープや面ファスナーを使用することができる。また、この足裏健康器具がサンダルや下駄などを履いているときに使用されるときは、接着手段として足の甲を纏うバンドを使用することができる。このバンドは、例えばベースパッド１の両側面に固定される。
【００３１】
この足裏健康器具は、以上のように構成され、次に、使用したときの状態について説明する。この足裏健康器具は、図７に示すように履物Ｓ（図示した靴以外のサンダルなどであっても同様に使用される。）の中敷上にセットして使用する。履物Ｓの中敷がツルツルの滑面の状態のときは、ベースパッド１の裏面の粘性によって、また、履物Ｓの中敷がザラザラの粗面の状態のときは、接着手段によって、それぞれベースパッド１がずれないように足裏健康器具がセットされる。
【００３２】
この足裏健康器具は、突起部２，２…が土踏まずＦの部分のツボを刺激するようにセットする。この足裏健康器具は、従来の中敷のように履物Ｓの中敷全面に重ね合わせるものではなく、一部分にセットするため、セットされた足裏健康器具の突起部２，２…がツボを刺激していないと感じた使用者は、ツボを的確に刺激する位置に足裏健康器具をセットしなおす。
【００３３】
このような足裏健康器具がセットされた履物Ｓを履いた使用者は、土踏まずＦが突起部２，２…に押圧されることによってツボが刺激され、また、磁石４の磁力が足の部分の血行を促進することにより、疲労が回復される。さらに、磁石４によって、足が暖められることによって、冷え性が改善され、湿度が下がることによって、水虫を改善することができる。
【００３４】
また、図２及び図３に示す足裏健康器具の使用者が突起部２，２…の押圧力を強すぎると感じたときは、図４又は図５、図６に示す足裏健康器具を使用する。この足裏健康器具は、足裏がベースパッド１の表面にも当接し、突起部２，２…が土踏まずＦを押圧する押圧力を適度に和らげる。特に、図５、図６に示す足裏健康器具は、突起部２，２…の表面が波形状に連続して形成され、押圧力が和らげられていることから、突起部２，２…が踵の部分やつま先の部分を押圧するようにセットしてもよい。
【００３５】
なお、本発明は、前記の実施形態に限定することなく特許請求の範囲に記載した発明特定事項の範囲内において種々変更することができる。例えば、突起部２，２…は、３列ではなく、１列、２列又は４列以上としてもよいし、個数や大きさなどは任意に変更することができる。
【００３６】
また、使用方法は、使用者の自由であり、バンドを備えた足裏健康器具は、室内においてスリッパにセットすることなく、足の甲にまきつけ、あるいは就寝時にも足の甲に巻きつけて使用してもよい。
【図面の簡単な説明】
【００３７】
【図１】本発明に係る足裏健康器具の一実施形態を示す斜視図である。
【図２】足裏健康器具の参考例を示し、（ａ）は平面図、（ｂ）は（ａ）のＢ−Ｂ線断面図、（ｃ）は（ａ）のＣ−Ｃ線断面図、（ｄ）は（ａ）のＤ−Ｄ線断面図である。
【図３】足裏健康器具の前記と異なる参考例を示し、（ａ）は平面図、（ｂ）は（ａ）のＢ−Ｂ線断面図、（ｃ）は（ａ）のＣ−Ｃ線断面図、（ｄ）は（ａ）のＤ−Ｄ線断面図である。
【図４】足裏健康器具の前記と異なる参考例を示し、（ａ）は平面図、（ｂ）は（ａ）のＢ−Ｂ線断面図、（ｃ）は（ａ）のＣ−Ｃ線断面図、（ｄ）は（ａ）のＤ−Ｄ線断面図である。
【図５】本発明に係る足裏健康器具の一実施形態を示す斜視図である。
【図６】本発明に係る足裏健康器具の図５に示した実施形態であって、（ａ）は平面図、（ｂ）は（ａ）の断面正面図、（ｃ）は（ａ）の断面側面図である。
【図７】本発明に係る足裏健康器具の使用例を示す概略正面図である。
【符号の説明】
【００３８】
１…ベースパッド
２…突起部
３…凹部
４…磁石
５…磁性体
６…吸盤部
Ｘ…外側
Ｙ…内側
【手続補正書】
【提出日】平成19年5月2日(2007.5.2)
【手続補正１】
【補正対象書類名】特許請求の範囲
【補正対象項目名】全文
【補正方法】変更
【補正の内容】
【特許請求の範囲】
【請求項１】
足裏の土踏まずの部分に対向するように履物又は中敷上にセットされる軟質のベースパッドの表面に複数の軟質の突起部が突設されている足裏健康器具であって、
前記ベースパッドは、両足で見たときに、各足が対向する外側に長辺、各足の中心に位置する内側に短辺を設けた台形状に形成され、
前記ベースパッドの中心部が周囲よりも厚肉とされ、
前記突起部は、前記ベースパッドの外側に４個、内側に２個、外側と内側との間の中間に３個の３列千鳥掛けに突設され、かつ、足裏の土踏まずの凹みの深さに対応した高さを有し、かつ、波状に連続し、
前記ベースパッドの裏面には、１又は２以上の凹部が形成され、
該凹部内に磁石が嵌め込まれていることを特徴とする足裏健康器具。
【請求項２】
前記ベースパッドには、履物又は中敷上をずれないようにする接着手段が備えられていることを特徴とする請求項１に記載の足裏健康器具。
【請求項３】
前記磁石は、希土類磁石であることを特徴とする請求項１又は２に記載の足裏健康器具。
【手続補正２】
【補正対象書類名】明細書
【補正対象項目名】０００８
【補正方法】変更
【補正の内容】
【０００８】
本発明に係る足裏健康器具は、足裏の土踏まずの部分に対向するように履物又は中敷上にセットされる軟質のベースパッドの表面に複数の軟質の突起部が突設されている足裏健康器具であって、前記ベースパッドは、両足で見たときに、各足が対向する外側に長辺、各足の中心に位置する内側に短辺を設けた台形状に形成され、前記ベースパッドの中心部が周囲よりも厚肉とされ、前記突起部は、前記ベースパッドの外側に４個、内側に２個、外側と内側との間の中間に３個の３列千鳥掛けに突設され、かつ、足裏の土踏まずの凹みの深さに対応した高さを有し、かつ、波状に連続し、前記ベースパッドの裏面には、１又は２以上の凹部が形成され、該凹部内に磁石が嵌め込まれていることを特徴としている。
【手続補正３】
【補正対象書類名】明細書
【補正対象項目名】００１４
【補正方法】削除
【補正の内容】
【手続補正４】
【補正対象書類名】明細書
【補正対象項目名】００２３
【補正方法】変更
【補正の内容】
【００２３】
いずれにしても突起部２，２…の配列に対応して、ベースパッド１は、平面視で台形状に形成されている。そして、ベースパッド１の裏面には、磁石４を嵌め込むための凹部３が形成されている。この凹部３は、中間の３個の突起部２，２…の間の２か所に形成される。この凹部３内に嵌め込まれる磁石４は、例えば小型で扁平でありながら強力な磁性を有している希土類磁石を使用することが好ましい。ただし、フェライト磁石などの磁石４を３個以上使用してもよく、この場合は３か所以上に凹部３が形成される。
【手続補正５】
【補正対象書類名】明細書
【補正対象項目名】００３５
【補正方法】変更
【補正の内容】
【００３５】
なお、本発明は、前記の実施形態に限定することなく特許請求の範囲に記載した発明特定事項の範囲内において種々変更することができる。